(57)【要約】【課題】前面枠の裏側下部に大きな取付スペースを確保して大型化する配線基板であっても容易に取り付けられるようにしたパチンコ遊技機を提供する。【解決手段】前面枠２の下枠板部２ａに球払出装置２５から払い出されるパチンコ球を前面枠２の前側へ排出する球排出口２７が開設され、下枠板部２ａの前面に装着される前板の前面には上球皿１３が装着されたパチンコ遊技機であって、前記下枠板部２ａの後側に前面枠２の厚み幅の範囲内で前方へ窪ませて窪み部３１を成形し、窪み部３１の上方であって球排出口２７と隣接する位置に上球皿１３から溢れるパチンコ球を前面枠２の前側に排出させる溢出口２８を設け、また、窪み部３１に前面枠２の厚み幅の範囲内に納まるようにして溢出口２８から排出されるパチンコ球を受け入れ前面枠２の前側へ排出し得る球貯留ボックス３２を配置した構成からなる。【選択図】図５
2006110175.tif 000002
【特許請求の範囲】
【請求項１】
遊技盤が設置される前面枠の下枠板部の一側に球払出装置から払い出されるパチンコ球を該前面枠の前側へ排出する球排出口が開設され、前記下枠板部の前面に装着される前板の前面には前記球排出口と連通し該球排出口から排出されるパチンコ球を貯留するための上球皿が装着されたパチンコ遊技機であって、
前記下枠板部の後側に該下枠板部を前記前面枠の厚み幅の範囲内で前方へ窪ませて上面が開口する窪み部を成形し、前記下枠板部における窪み部の上方であって前記球排出口と隣接する位置に前記上球皿から溢れるパチンコ球を前記前面枠の前側に排出させる溢出口を設け、また、前記窪み部に前記前面枠の厚み幅の範囲内に納まるようにして前記溢出口から排出されるパチンコ球を受け入れると共に前記前面枠の前側へ排出し得る球貯留ボックスを配置したことを特徴とするパチンコ遊技機。
【発明の詳細な説明】
【技術分野】
【０００１】
本発明は、遊技盤が設置される前面枠の後側に上球皿から溢れるパチンコ球を受け入れると共に前面枠の前側へ排出し得る球貯留ボックスを配置したパチンコ遊技機に関するものである。
【背景技術】
【０００２】
従来のパチンコ遊技機は、例えば、遊技盤が設置される前面枠の上部前面に遊技盤の前面を覆う透明板保持枠が軸着され、その下部前面には前板が装着されており、該前板の前面に打球発射部へ供給されるパチンコ球を貯留する上球皿が装着され、また、前面枠の下部前面に該上球皿から溢れるパチンコ球を貯留する下球皿が装着されている。一方、前面枠の裏面には、遊技盤の裏面を覆うようにして機構板が装着されている。この機構板には、球タンクからのパチンコ球を供給する球払出装置が装着され、この球払出装置の下方に該球払出装置から払い出されたパチンコ球を上球皿に導く球払出樋が設けられ、この球払出樋と連なるようにして上球皿から溢れるパチンコ球を下方の下球皿に導く副賞球路が配設されている。該副賞球路は、その下端の球収容器を介して下球皿と連通している（例えば、特許文献１参照。）。
【特許文献１】特開平７−３１３７０６号公報（第３頁、図１、図２、図５）
【発明の開示】
【発明が解決しようとする課題】
【０００３】
しかしながら、機構板の裏側特にその下部は、球払出装置から延設される球払出樋など多くの樋が複雑に入り組んでいる。中でも、前面枠の下部前面の略中央に下球皿が装着されている関係上、前面枠の裏側下部の上部から下部に亘って延びる副賞球路とその下端部の球収容器が、前面枠の裏面から後方へ大きく突出するように設けられ障害となっている。このため、前面枠の裏側下部は取付スペースとして狭く有効に利用されてない。
【０００４】
ところで、近年、第二種すなわちフィーバータイプのパチンコ遊技機にあっては、遊技盤の中央に装着され数字、図柄等の情報を変動表示する可変表示装置が、遊技の興趣を増大させる狙いから内容が複雑化すると共に、遊技盤前面の周縁部に装着される電飾装置も複雑化している。これに伴い、これらを電気的に制御する配線基板も大型化する傾向にあるが、その取付スペースを確保するに苦慮しているのが現状である。
【０００５】
そこで、本発明は上記課題を解決すべくなされたもので、前面枠の裏側下部に大きな取付スペースを確保できるようにして、大型化する配線基板であっても容易に取り付けられるようにしたパチンコ遊技機を提供することを目的とするものである。
【課題を解決するための手段】
【０００６】
かかる目的を達成するため本発明に係るパチンコ遊技機は、遊技盤が設置される前面枠の下枠板部の一側に球払出装置から払い出されるパチンコ球を該前面枠の前側へ排出する球排出口が開設され、前記下枠板部の前面に装着される前板の前面には前記球排出口と連通し該球排出口から排出されるパチンコ球を貯留するための上球皿が装着されたパチンコ遊技機であって、前記下枠板部の後側に該下枠板部を前記前面枠の厚み幅の範囲内で前方へ窪ませて上面が開口する窪み部を成形し、前記下枠板部における窪み部の上方であって前記球排出口と隣接する位置に前記上球皿から溢れるパチンコ球を前記前面枠の前側に排出させる溢出口を設け、また、前記窪み部に前記前面枠の厚み幅の範囲内に納まるようにして前記溢出口から排出されるパチンコ球を受け入れると共に前記前面枠の前側へ排出し得る球貯留ボックスを配置した構成からなる。
【発明の効果】
【０００７】
本発明に係るパチンコ遊技機は、前面枠の下枠板部の後側に窪み部を成形すると共に該窪み部に前面枠の厚み幅の範囲内に納まるようにして上面が開口する球貯留ボックスを配置し、下枠板部における窪み部の上方であって球排出口に隣接する位置に上球皿から溢れるパチンコ球を前面枠の前面に排出させる溢出口を設け、該溢出口から排出されるパチンコ球を球貯留ボックスに受け入れるようにしたので、前面枠の下枠板部の後面に従来のような障害となる副賞球路や球収容器をなくすことができて広い取付スペースが確保され、例えば大型の配線基板も自由に装着できる。また、パチンコ遊技機の機種によって前記球貯留ボックス内の設計が変わることがあるが、球貯留ボックスは前面枠とは別個に成形されていることから、このような場合、前面枠はそのままで球貯留ボックスのみを変更すれば済み、前面枠全体を換える場合に比較し金型代、引いてはパチンコ遊技機の製作コストを低廉になし得るという有益な効果が有る。
【発明を実施するための最良の形態】
【０００８】
以下、本発明に係るパチンコ遊技機の実施の形態を図面に基づき説明する。図１は本発明に係るパチンコ遊技機の前面斜視図、図２は同透明板保持枠と前板を開き下覆板を外した状態の斜視図、図３は同裏面図、図４は同前面枠の下部の正面図である。パチンコ遊技機Ｐは木製からなる縦長方形状の外枠１を有し、該外枠１の前面に額縁状の前面枠２がその一側上下部を前記外枠１の一側上下部に設けた軸支部３，３に軸支して回動自在に装着される。この前面枠２は合成樹脂製であってその上部中央に略円形の窓開口４が開設され、下部にはその前面に後記する前板１４や下覆板１６が取着される下枠板部２ａが成形される。
【０００９】
前記前面枠２の裏側に下枠板部２ａの上面に載るようにして遊技盤５が設置される。そして、遊技盤５前面の遊技部５ａが、内側・外側ガイドレール６ａ，６ｂに囲われるようにして前記窓開口４に臨むようになっている。遊技盤５の遊技部５ａには、ほぼ中央に位置して数字、図柄等の情報が変動表示される可変表示装置７、その下方に位置してパチンコ球の入賞によって該可変表示装置７を作動させる始動入賞口８が装着される。更に、その下方に前記可変表示装置７の情報が特定の表示に揃ったとき一定の条件で一度に多くの入賞球が得られる入賞装置９、一般入賞口１０といった盤面部品がそれぞれ装着される。また、遊技部５ａの下部に入賞球とならなかったアウト球を受け入れ、遊技盤５の裏側へ導くアウト球口１１が開設されている。
【００１０】
前面枠２の上部前面に、遊技盤５前面の遊技部５ａを覆い２枚の透明板としてのガラス板を前後に平行に配置した透明板保持枠１２が開閉自在に軸着される。また、前面枠２の下枠板部２ａの前面に、前記透明板保持枠１２の下方に位置して上球皿１３を装着した前板１４が開閉自在に軸着される。更に、前板１４の下方で下枠板部２ａの前面一側に球抜皿１５を装着した下覆板１６が螺子１６ａ止めにより固着される。また、その前面他側には操作ハンドル１７を装着した保持板１８が固着されている。
【００１１】
前面枠２の裏側に、遊技盤５の裏面を覆うようにして合成樹脂製の機構板１９が回動自在に装着される。機構板１９の中央に、遊技盤５の裏面に取り付けられ遊技盤５の裏側へ入賞球またはアウト球として排出されるパチンコ球を集め下方へ導く球集合カバー２０が臨む開口２１が開設される。機構板１９の裏面には、前記開口２１を囲うようにしてその上部に球タンク２２が配置され、その下方にタンクレール２３が配置されると共にその流下端にカーブレール２４を介して球払出装置２５が配設されている。球払出装置２５の下方に、該球払出装置２５から排出されるパチンコ球を前記上球皿１３に導くための球払出樋２６が設けられる。
【００１２】
前記前面枠２の下枠板部２ａには、その一側上部に前記球払出樋２６と連通し、球払出装置２５から払い出されるパチンコ球を前面枠２の前側へ排出する球排出口２７が開設される。また、該球排出口２７に隣接位置させて下枠板部２ａに上球皿１３から溢れるパチンコ球を排出するための溢出口２８が開設される。これら球排出口２７、溢出口２８は後記する窪み部３１の上方に位置する。すなわち、図３、図８に示すように前記球払出樋２６における球排出口２７側に寄せた内壁一側に溢れ球口２９が開設され、該溢れ球口２９が溢れ球排出樋３０を介してその下端の溢出口２８と連通している。前記溢出口２８は下枠板部２ａの裏側に配置され後記する球貯留ボックス３２の上面の開口３３に臨むようになっており、上球皿１３から溢れたパチンコ球を溢れ球口２９を介して溢れ球排出樋３０内に流入させ、その流下端の溢出口２８から球貯留ボックス３２内に受け入れるようにしている。
【００１３】
本発明では図５に示すように前記下枠板部２ａの後側に、操作ハンドル１７側を残して下枠板部２ａを前面枠２の厚み幅の範囲内で前方へ窪ませて窪み部３１が成形される。この窪み部３１の上面は開放しており、その中央下部に球排出口３１ａが開設され、略中央の上部に球連通口３１ｂが開設される。また、窪み部３１前面の一側には、後記するスピーカ６３の本体部が収納される収納凹部３１ｃが成形される。そして、該窪み部３１内にこれとほぼ同大の球貯留ボックス３２が配置される。この球貯留ボックス３２は、前記上球皿１３から溢れるパチンコ球を受け入れるようにしたもので、従来の大きさの下球皿に貯留される平均的なパチンコ球量がそのまま貯留し得る程度の広さを有する。前記球排出口２７と溢出口２８に対応する球貯留ボックス３２の上端面は開口３３しており、該開口３３に前記球排出口２７と溢出口２８が上から臨む。
【００１４】
図４に示すように下枠板部２ａ前面の操作ハンドル１７側には、打球発射レール３４が装着される。該打球発射レール３４の先端は前記外側ガイドレール６ｂの基端部にファール球排出通路３５を介して連なっている。また、保持板１８の後側に操作ハンドル１７を握ることにより通電して駆動する駆動モータ３６と該駆動モータ３６によって往復回動する打球槌３７とが配置され、前記打球発射レール３４の打球発射部３４ａに打球槌３７が臨み打球発射部３４ａの位置にあるパチンコ球を打球して発射させるようにしている。打球槌３７の打球力は操作ハンドル１７の回動量によって調節される。
【００１５】
ここで、前記球貯留ボックス３２について詳しく説明すると、この球貯留ボックス３２は合成樹脂材から成形され、図５、図６に示すように前後に位置する本体枠部３８と蓋体枠部３９とからなる。本体枠部３８は、前側板３８ａの外周縁が上縁の一部を残して側板３８ｂにより囲われ、後面が開放している。前側板３８ａにはその中央下部に前記球出口３１ａと連通する通口４０が開設され、ほぼ中央上部に前記球連通口３１ｂと連通する連通口４１が開設される。また、前側板３８ａ後面の所定位置に複数のボス挿通孔４２が開設されている。これらボス挿通孔４２は、窪み部３１内の所定位置に突設され後端面に螺子孔４３ａが設けられた複数のボス４３と対応位置し、各ボス４３が挿通されることによって球貯留ボックス３２が配置固定されることになる。更に、前側板３８ａ後面の適宜位置に、間隔保持機能を兼ね後端面に螺子孔４４ａを設けたピン４４が突設される。更に、本体枠部３８の一側に前記収納凹部３１ｃが挿入される挿入孔３８ｃが開設される。
【００１６】
蓋体枠部３９は、後側板３９ａの前面に前記通口４０に向かって緩やかに下傾する二個の棚板４５ａ，４５ｂが両側にそれぞれ上下位置を違えて配置されている。これにより、球貯留ボックス３２内に上から受け入れられたパチンコ球がそれら棚板４５ａ，４５ｂの上面に載り、その上面を転動して通口４０へ導かれるようになっている。また、後側板３９ａ内面の一側寄りに縦長方形枠４６が配置される。そして、該縦長方形枠４６と近接する本体枠部３８の側板３８ｂとの間に、開口３３を介して上端が前記溢出口２８に対応位置し、下端が一方の棚板４５ａ上面に連なる縦通路４７が成形される。
【００１７】
縦長方形枠４６には縦通路４７側に透口４８が開設され、該透口４８の上端に該透口４８を塞ぐようにして検知板４９が揺動自在に軸着されている。この検知板４９は、球貯留ボックス３２内に溜まるパチンコ球の球量を検知するためのものであり、常にはその下部が透口４８から縦通路４７側に張り出している。また、縦長方形枠４６内には、検知板４９と対向位置してリミットスイッチ５０が配置され、検知板４９がパチンコ球に押されて内側へ揺動したときこれを電気的に検知し、球貯留ボックス３２内がパチンコ球で一杯であることを知らせるようにしている。後側板３９ａに前記各ボス４３及びピン４４に対応位置して複数の螺子挿通孔５１が設けられる。
【００１８】
また、蓋体枠部３９の後面には、球送出樋５２が装着される。これは、遊技部５ａに打ち込まれたパチンコ球の内、アウト球及び入賞球を球集合カバー２０を介して受け入れパチンコ遊技機Ｐの外へ排出するためのものである。球送出樋５２は、上部に蓋体枠部３９後面に沿って横長に成形される球受樋部５３ａと該球受樋部５３ａと連通し略Ｓ字状に屈曲する球送樋部５３ｂとからなる。そして、図３に示すように、上面が開放する球受樋部５３ａに受け入れられたパチンコ球は球送樋部５３ｂを流下して、その下端開放口から下方へ排出する。
【００１９】
そこで、前記各ボス挿通孔４２に各ボス４３を挿通して窪み部３１に本体枠部３８を収納し、本体枠部３８の開放する後面に蓋体枠部３９を被せる。そして、各螺子挿通孔５１を介して各ボス４３の螺子孔４３ａに螺子５４を螺締する。これにより、球貯留ボックス３２が配置固定される。この状態では、球貯留ボックス３２は前面枠２の厚み幅の範囲内に位置し、しかも、その後面が下枠板部２ａの後面とほぼ面一となるようになっている。また、蓋体枠部３９の後面に球送出樋５２が螺子止めして取付けられる。
【００２０】
前記前板１４には、図２に示すようにその軸支部側に該前板１４を閉めたとき前記球排出口２７と連通する連絡樋５５が取着され、開放側の後面に上球皿１３のパチンコ球を一個ずつ打球発射レール３４の打球発射部３４ａへ供給する打球供給装置５６が装着される。打球供給装置５６の一側に打球発射部３４ａに臨む供給口５７が設けられる。また、その他側に窪み部３１に開設される球連通口３１ｂを介して球貯留ボックス３２の連通口４１と連通する連絡口５８が設けられている。
【００２１】
前記下覆板１６には、図２、図７に示すようにその中央に窪み部３１の球出口３１ａを介して前記通口４０と連通する払出口５９が開設される。そして、下覆板１６の前面に払出口５９を囲うようにして球抜皿１５が装着される。この球抜皿１５はパチンコ球を貯留するというよりも、そこからパチンコ球を抜くためのものである。よって、従来の下球皿に比べて非常に小さく成形される。そして、球抜皿１５の下面に球抜き口６０が開設されると共に該球抜き口６０にスライドして該球抜き口６０を開閉するシャッター板６１が設けられている。
【００２２】
前記シャッター板６１は、スプリングなどの弾発手段（図示せず。）によって常に球抜き口６０を塞ぐように付勢され、シャッター板６１に一体に設けられた摘み６２を持ち弾発手段に抗して該シャッター板６１をスライドさせることにより、球抜き口６０が開口できるようになっている。また、球抜皿１５の上面は開放されているが、これは、例えば、遊技中に上球皿１３に球貯留ボックス３２内のパチンコ球を補給したい場合に遊技者が球抜皿１５から手で直接パチンコ球を取り出せるようにするためであって、他の手段が可能であれば前記球抜皿１５の上面に蓋をして内部を密閉状にしても良い。
【００２３】
前記下覆板１６の前面であって球抜皿１５の一側にスピーカ６３が収納されるスピーカカバー部６４が一体に成形される。スピーカ６３は遊技者のほぼ前面に位置し向き合うことから、出される音は遊技者に直に伝わり迫力が有って高い音響効果が得られる。また、球抜皿１５の他側に二個のスイッチボタン６５ａ，６５ｂ及び灰皿６６が装着される。前記一方のスイッチボタン６５ａは、例えば、遊技中に一時打球の発射を止めるため、また、他方のスイッチボタン６５ｂは、例えば、可変表示装置７の表示部に変動して表示される情報を遊技者の意思で停止させるためのものである。また、前記スイッチボタン６５ａ，６５ｂはそれらに限定されるものではなく、他の用途に使用しても良い。
【００２４】
そこで、スピーカ６３の本体部を収容凹部３１ｃに収納すると共に下覆板１６を下枠板部２ａの前面に配置する。そして、両側に設けた複数の螺子挿通孔６７を介しこれらと対応位置して下枠板部２ａに設けられた螺子孔６８に螺子１６ａを螺締することにより、下覆板１６が取付けられる。
【００２５】
本発明に係るパチンコ遊技機Ｐは上記構成からなり、次に作用について説明する。例えば、遊技中に始動入賞口８にパチンコ球が入賞し、可変表示装置７の表示部の情報が変動し、一定時間経過後に特定の組合せ（例えば、「７７７」）に揃い大当たり状態となると、入賞装置９の扉が一定の条件のもとで複数回開いてその入賞装置９に多くのパチンコ球が入賞する。これに伴い、球払出装置２５が作動して多くのパチンコ球が賞球として払い出される。これらパチンコ球は、球払出樋２６に導かれて球排出口２７を介して上球皿１３に貯留される。
【００２６】
そして、上球皿１３がパチンコ球で一杯になり溢れるようになると、図７、図８に示すようにこれら溢れるパチンコ球は球排出口２７内側の溢れ球口２９から溢れ球排出樋３０に流入し、更に、該溢れ球排出樋３０に導かれて溢出口２８から開口３３を介し縦通路４７を通過しつつ球貯留ボックス３２内に流入する。流入したパチンコ球の内、先のパチンコ球は棚板４５ａ上面を転動し、球出口３１ａを介して球抜皿１５に達する。この球抜皿１５には僅かなパチンコ球しか停留せず、ほとんどのパチンコ球は球貯留ボックス３２内に貯留されることになる。
【００２７】
球貯留ボックス３２に一定量のパチンコ球が溜まり縦通路４７内にまで達すると、検知板４９が球圧により縦長方形枠４６内に回動し、これに伴いリミットスイッチ５０がオン動作して球貯留ボックス３２内にパチンコ球が一杯であることを知らせる。その方法として例えば、駆動モータ３６の回転を停止して打球動作を不能にさせる。そこで、遊技者は球抜皿１５の下方に球箱（図示せず。）を置き、摘み６２を持ちシャッター板６１をスライドさせて球抜きを行う。球貯留ボックス３２内のパチンコ球が減ってきて検知板４９が球圧から開放され元の位置に復帰すると、リミットスイッチ５０がオフ動作し、再び打球の発射動作が行なえるようになる。
【００２８】
一方、遊技中であって上球皿１３及び球払出樋２６にパチンコ球が連なって貯留されており、故障などの点検のため前板１４を開いた場合であっても、前記球払出樋２６に残っているパチンコ球は、そのまま開口３３を介して球貯留ボックス３２内に取り込まれることになり、外部に零れ落ちるようなことはない。また、打球発射部３４ａから発射されたパチンコ球であって運悪く遊技盤５の遊技部５ａに達せず、逆戻りしたファール球はファール球排出通路３５に落下して球貯留ボックス３２内に貯留される。更に、遊技終了後に上球皿１３内にパチンコ球が残っている場合、これらパチンコ球は、上球皿１３に設けられる球抜きレバー（図示せず。）を操作することにより、連絡口５８及び球連通口３１ｂを介して球貯留ボックス３２に貯留される。
【００２９】
本発明にあっては、球貯留ボックス３２の後面が下枠板部２ａの後面と面一であり、しかも、球貯留ボックス３２の後面に装着される球送出樋５２も、後側へ大きく突出することがない。よって、図３に示すように前面枠２の下部、すなわち下枠板部２ａの後面に大きな取付スペースＳが成形される。そこで、図３、図７に示すようにこの取付スペースＳに、例えば、想像線で示す大型の配線基板６９が配置できることになる。詳しくは、前記球送出樋５２及び球貯留ボックス３２の後面にそれぞれビス孔７０ａを有するボス７０が突設され、これらボス７０のビス孔７０ａにビス７１を螺締して配線基板６９が固着される。特に、大型の配線基板６９を取り付ければ、配線基板６９の個数が少なくなりその分静電気の発生も抑えられる。
【００３０】
このように、本発明に係るパチンコ遊技機Ｐは、前面枠２の下枠板部２ａの後側に該前面枠２の厚み幅の範囲内でパチンコ球の球貯留機能を持つ球貯留ボックス３２を配置し、球排出口２７に隣接位置させて溢出口２８を開設するようにしたので、前面枠２の下枠板部２ａの後面に従来のような機構板１９の裏面から後方へ突出する副賞球路や球収容器といった障害がなくなって広い取付スペースＳが確保されることになる。これにより、例えば、大型の配線基板６９も自由に装着できるなど組付の自由度が増す。同様に、球抜皿１５を使用すれば前面枠２の下部前面にも、スペース的に余裕ができ、そのスペースの自由な位置に例えばスピーカ６３などの種々の装飾品が装着できる。また、上球皿１３を下げることもでき、遊技盤の拡大が余裕を持って行なえ、これによりスケールの大きい盤面ゲージが可能となって、遊技の興趣が一段と高められる。
【００３１】
更に、窪み部３１内に前面枠２とは別個に成形した球貯留ボックス３２を収容するようにしたが、このように別個の球貯留ボックス３２を一体に取り付けることにより、前面枠２の強度が増す。また、窪み部３１の開放する後面に蓋をして、その中を球貯留ボックス３２として使用することも考えられるが、棚板４５ａ，４５ｂなどの配置がパチンコ遊技機Ｐの機種によって変わる場合がある。そこで、それら変更に容易に対応できるようにするため、球貯留ボックス３２を前面枠２とは別個に成形するようにしている。このようにすれば、球貯留ボックス３２の変更のみで済み、前面枠２は共通して使用できるので、金型代も低廉になし得る。
【００３２】
本発明にあっては、球貯留ボックス３２に球貯留機能を持たせるようにしているので、下枠板部２ａの前面に小さい球抜皿１５を設けるようにしたが、球貯留ボックス３２に単に球通路機能のみを持たせて、パチンコ球を通過させるだけにし、下枠板部２ａの前面には従来の大きさの下球皿を装着するようにしても本発明の目的は達成できる。また、前板１４と下覆板１６とを別個に成形したものについて説明したが、他に前板１４と下覆板１６部位とが一体に成形されるものであっても良いこと勿論である。
【図面の簡単な説明】
【００３３】
【図１】本発明に係るパチンコ遊技機の前面斜視図。
【図２】同透明板保持枠と前板を開き下覆板を外した状態の斜視図。
【図３】同裏面図。
【図４】同前面枠の下部の正面図。
【図５】球貯留ボックスを分解して示す前面枠の裏面斜視図。
【図６】球貯留ボックスの前から見た分解斜視図。
【図７】図３のＸ−Ｘ線断面図。
【図８】図４のＹ−Ｙ線断面図。
【符号の説明】
【００３４】
２                    前面枠
２ａ                  下枠板部
５                    遊技盤
１３                  上球皿
１４                  前板
２５                  球払出装置
２７                  球排出口
２８                  溢出口
３１                  窪み部
３２                  球貯留ボックス
Ｐ                    パチンコ遊技機
【図１】
2006110175.tif 000003
【図２】
2006110175.tif 000004
【図３】
2006110175.tif 000005
【図４】
2006110175.tif 000006
【図５】
2006110175.tif 000007
【図６】
2006110175.tif 000008
【図７】
2006110175.tif 000009
【図８】
2006110175.tif 000010